(57)【要約】【課題】締結、締結解除の操作が容易で、被締結部材の耐久品質に優れた締結具、およびこれを備えた長尺体などの提供。【解決手段】本発明の締結具は、長尺体としてのバンド１１，１２の所定位置にそれぞれ取り付けられる第１部材３Ａと第２部材３Ｂとを備える。この締結具によれば、第１部材３Ａと第２部材３Ｂとをピン４０が切欠部２１３に支持された状態で相対的に回動させるだけで、係合凸部５２が係合凹部３２３に係合してバンド１１，１２の装着が終了する。また、プッシュボタン３２，３２を押して締結時とは逆に回動させることにより、バンド１１，１２の締結を解除する操作も簡単に行うことができる。このように、第１部材３Ａと第２部材３Ｂとの回動操作だけで締結および締結解除の操作が可能であり、バンド１１，１２に部分的に負荷が掛からないため、バンド１１，１２の耐久品質を向上させることができる。【選択図】図１２
2008284129.tif 000002
【特許請求の範囲】
【請求項１】
２つの被締結部材にそれぞれ配設される第１部材と第２部材とを備え、これらの第１部材と第２部材とは、相対的に回動されて係合され、
前記第１部材は、
前記被締結部材における前記回動の軸に沿った方向の両側にそれぞれ設けられ開口部が形成された側壁と、これらの側壁を連結する連結部とを有する第１取付部材と、
前記第１取付部材の側壁の内側から外側へと付勢手段により付勢されるプッシュボタンを有し、前記プッシュボタンが前記開口部を貫通することにより、前記第１取付部材との間に前記一方の被締結部材を挟むボタンユニットと、を備え、
これらの前記第１取付部材および前記ボタンユニットは、前記一方の被締結部材の所定位置に取り付けられ、
前記第１取付部材および前記ボタンユニットの少なくとも一方は、前記第２部材を回動可能に支持する支持部を有し、
前記プッシュボタンは、前記第２部材が係合される被係合部を有し、
前記第２部材は、
前記他方の被締結部材における前記回動の軸に沿って前記他方の被締結部材の所定位置に取り付けられる軸部材と、
前記被係合部に係合される係合部を有し、前記軸部材が前記支持部に支持された状態で前記第１部材側に回動可能に設けられる回動部材と、を備え、
前記係合部は、前記回動部材が前記第１部材側に回動された際に前記被係合部に係合され、
前記係合部と前記被係合部とは、前記付勢手段による付勢力によって係合している
ことを特徴とする締結具。
【請求項２】
請求項１に記載の締結具において、
前記一方の被締結部材が前記他方の被締結部材の前記装着対象側に配置され、かつ前記軸部材を前記支持部に前記装着対象とは反対側から支持させた状態で、前記第１部材と前記第２部材とが相対的に回動される
ことを特徴とする締結具。
【請求項３】
請求項１または２に記載の締結具において、
前記係合部および前記被係合部の少なくとも一方には、前記相対的に回動されることにより前記係合部と前記被係合部とが当接した際に前記付勢手段による付勢力に抗して分力が作用する方向に傾斜する斜面が形成されている
ことを特徴とする締結具。
【請求項４】
請求項１から３のいずれかに記載の締結具において、
前記支持部は、前記側壁に形成された切欠とされ、
前記軸部材の両端部はそれぞれ、前記他方の被締結部材の端縁から突出し、かつ前記支持部に係合された状態で支持される
ことを特徴とする締結具。
【請求項５】
請求項１から４のいずれかに記載の締結具において、
前記第１取付部材は、側壁が連結部の両端部からそれぞれ起立した断面略コ字形状とされ、
前記第１取付部材の前記側壁には、前記開口部である第１開口部と連続するように前記連結部側とは反対側から第２開口部が切欠形成され、
前記側壁における起立方向と交差する方向において、前記第２開口部の寸法は、前記第１開口部の寸法よりも小さく、
前記プッシュボタンが押されていない状態で当該プッシュボタンの前記第１開口部から突出する部分には、前記第２開口部に挿入可能な括れ部が形成されている
ことを特徴とする締結具。
【請求項６】
請求項１から５のいずれかに記載の締結具において、
前記軸部材は、前記他方の被締結部材における前記一方の被締結部材と締結される側の端部に、前記回動の軸に沿って当該他方の被締結部材を貫通するように取り付けられ、
前記他方の被締結部材には、前記軸部材の一部が露出するように切欠が形成され、
前記回動部材は、前記切欠を介して前記軸部材の周りに巻かれる巻付部を有する
ことを特徴とする締結具。
【請求項７】
請求項１から６のいずれかに記載の締結具において、
前記被係合部は、前記プッシュボタンが押されていない状態で前記プッシュボタンの前記開口部から前記側壁の外側に突出する部分に形成され、
前記係合部は、前記回動部材における前記回動の軸に沿った方向の端部に形成されている
ことを特徴とする締結具。
【請求項８】
請求項７に記載の締結具において、
前記回動部材は、前記軸部材に沿った方向を含む平面にほぼ沿って板状に形成され、
前記係合部は、前記回動部材における前記回動の軸に沿った方向の端部から、前記相対的に回動される際の前記第１部材側に立ち上がる凸部とされ、
前記被係合部は、前記プッシュボタンにおいて前記相対的に回動される方向にほぼ沿って形成された凹部とされている
ことを特徴とする締結具。
【請求項９】
請求項１から８のいずれかに記載の締結具において、
前記ボタンユニットは、前記プッシュボタンを保持するボタンユニット枠を有し、
前記プッシュボタンは、前記被係合部が形成される本体と、この本体と前記ボタンユニット枠の内面との間に配置されて前記第１取付部材の前記開口部に係合される副体とを有し、
前記本体は、本体付勢手段によって前記側壁の内側から外側に向かって付勢され、かつ、本体ストッパ部材によって前記ボタンユニット枠に係止され、
前記副体は、副体付勢手段によって前記側壁の内側から外側に向かって付勢され、かつ、副体ストッパ部材によって前記ボタンユニット枠に係止され、
前記本体と前記副体とは、前記本体が押された際に前記副体に当接するように間隙を介して凹凸係合され、
前記本体が前記本体ストッパに当接するまで押された際の前記ボタンユニット枠に対する当該本体の移動距離をＡ、
前記副体が前記副体ストッパに当接するまで押された際の前記ボタンユニット枠に対する当該副体の移動距離をＢ、
前記本体が前記副体に当接されるまで押された際の前記ボタンユニット枠に対する当該本体の移動距離をＣ、とすると、
Ａ  ＞  Ｂ  ＞  Ｃ  とされている
ことを特徴とする締結具。
【請求項１０】
請求項１から９のいずれかに記載の締結具において、
前記第１部材の連結部、および前記ボタンユニットの一方は、他方に向かって突出する突起を有し、
前記突起は、前記一方の被締結部材に形成された孔に挿入される
ことを特徴とする締結具。
【請求項１１】
請求項１から１０のいずれかに記載の締結具を備えた
ことを特徴とする長尺体。
【請求項１２】
請求項１１に記載の長尺体を備えた
ことを特徴とする携帯機器。
【請求項１３】
請求項１１に記載の長尺体を備え、
前記長尺体は、時計の外装ケースに連結されている
ことを特徴とする時計。
【請求項１４】
請求項１３に記載の時計において、
前記長尺体は、時計バンドである
ことを特徴とする時計。
【請求項１５】
請求項１１に記載の長尺体を備え、この長尺体により装着される
ことを特徴とする装身具。
【発明の詳細な説明】
【技術分野】
【０００１】
本発明は、バンド等の被締結部材を締結する締結具に関する。また、この締結具を備えた長尺体や、この長尺体を備えた携帯機器、時計、および装身具などに関する。
【背景技術】
【０００２】
従来、時計バンドの開放端同士を締結するタイプの中留として、例えばつく棒（突棒）が突設されバンドに回動自在に設けられるフレームと、ばね力でつく棒を係止するプッシュ中留部材とを備えたものが知られている（特許文献１）。
このような中留のつく棒は、フレームから立ち上がる小径部と、小径部から膨出した大径部とを有する。そして、中留を留める際には、つく棒をバンドの孔に挿通し、バンドの孔から突出したつく棒の大径部をプッシュ中留部材の穴に係合させる。
【０００３】
【特許文献１】特開平１０−２８６０５号公報
【発明の開示】
【発明が解決しようとする課題】
【０００４】
しかしながら、特許文献１のような中留には、次のような課題がある。
（１）腕への着脱の都度、バンドの孔につく棒を抜き挿ししなくてはならず、バンドの孔からつく棒を抜く際に、つく棒の大径部がバンド裏面側でバンド孔の周縁に引っ掛かるので、バンド孔の近傍が傷みやすい。具体的に、バンドで装着された時計の携帯時にはバンドの剛性によって引張力が作用するため、つく棒の軸とバンド孔の中心とがずれてつく棒の小径部がバンド孔の内周面に当接し、バンド孔の周縁に大径部が引っ掛かった状態からつく棒を抜くため、バンド孔の近傍が傷みやすい。
このように、バンド孔の位置でつく棒とプッシュ中留部材とを係合させる構成では、着脱時にバンドの一部分のみに負荷が掛かるため、バンドの耐久性が低い。
【０００５】
（２）つく棒をバンド孔に挿入する際に、つく棒とバンド孔との位置の見当を付けづらいため、装着操作が困難である。すなわち、バンドの開放端同士を締結する場合はバンドとバンドとの位置決めが必要であり、一方のバンドに設けられたつく棒と他方のバンドの孔との位置を合わせなくてはならないが、つく棒がフレームの裏側に隠れて見えづらい。
なお、特許文献１とは反対側の位置につく棒が設けられた構成、例えば腕に当接するプレート部材などにつく棒が突設され、このプレートにバンドを被せるようにしてバンド孔につく棒を挿通させる構成の場合なども、バンドの裏側につく棒が隠れるため、つく棒とバンド孔との位置を合わせづらいという事情は変わらず、装着操作が困難である。
また、バンドには複数の孔が形成されており、腕への着脱の都度、所定の孔につく棒を挿通できるとは限らないため、締結時のバンドの長さが所望の長さとならない場合がある。
【０００６】
そこで、本発明の目的は、締結操作および締結解除の操作が容易で、かつバンド等の被締結部材の耐久品質に優れた締結具、この締結具を備えた長尺体、およびこの長尺体を備えた携帯機器、時計、並びに装身具を提供することにある。
【課題を解決するための手段】
【０００７】
本発明の締結具は、２つの被締結部材にそれぞれ配設される第１部材と第２部材とを備え、これらの第１部材と第２部材とは、相対的に回動されて係合され、前記第１部材は、前記被締結部材における前記回動の軸に沿った方向の両側にそれぞれ設けられ開口部が形成された側壁と、これらの側壁を連結する連結部とを有する第１取付部材と、前記第１取付部材の側壁の内側から外側へと付勢手段により付勢されるプッシュボタンを有し、前記プッシュボタンが前記開口部を貫通することにより、前記第１取付部材との間に前記一方の被締結部材を挟むボタンユニットと、を備え、これらの前記第１取付部材および前記ボタンユニットは、前記一方の被締結部材の所定位置に取り付けられ、前記第１取付部材および前記ボタンユニットの少なくとも一方は、前記第２部材を回動可能に支持する支持部を有し、前記プッシュボタンは、前記第２部材が係合される被係合部を有し、前記第２部材は、前記他方の被締結部材における前記回動の軸に沿って前記他方の被締結部材の所定位置に取り付けられる軸部材と、前記被係合部に係合される係合部を有し、前記軸部材が前記支持部に支持された状態で前記第１部材側に回動可能に設けられる回動部材と、を備え、前記係合部は、前記回動部材が前記第１部材側に回動された際に前記被係合部に係合され、前記係合部と前記被係合部とは、前記付勢手段による付勢力によって係合していることを特徴とする。
【０００８】
以下では、便宜上、被締結部材のことをバンドと称するが、本発明における被締結部材はバンドに限らない。すなわち、本発明の締結具は、各被締結部材にそれぞれ配設された第１部材と第２部材とが相対的に回動されて係合される構造に特徴を有しており、被締結部材の形状等は、第１部材と第２部材とが相対的に回動可能である限り、任意に構成できる。なお、被締結部材は、部材の部分であってもよい。
【０００９】
本発明において、一方のバンド（被締結部材）に第１部材を取り付ける際は、第１取付部材とボタンユニットとの間に当該バンドを挟み、ボタンを第１取付部材の側壁の内側方向に押し込んだ状態でボタンユニットを第１取付部材の側壁間に配置し、側壁の開口部から第１取付部材の側壁の外側にボタンを突出させる。
なお、第１取付部材およびボタンユニットは、適宜な手段によってバンドの所定位置に取り付けられている。例えば、これらの第１取付部材およびボタンユニットの一方に、他方との間にバンドを押圧保持する突起やくさびなどが設けられていてもよい。
また、他方のバンドに第２部材を取り付ける際は、第２部材を適宜な手段によって当該バンドの所定位置に取り付ける。例えば、バンドに形成された当該バンドの幅方向に沿って貫通する孔に軸部材を通し、この軸部材の一部に回動部材を取り付ける。
【００１０】
このように本発明では、各バンドの所定位置に第１部材と第２部材とがそれぞれ取り付けられており、軸部材を支持部に支持させた状態で第１部材と第２部材とを相対的に回動させることにより、係合部が被係合部に係合され、締結が終了する。
すなわち、第１部材および第２部材によってバンド同士の締結位置が規定されているため、締結時のバンド同士の位置決めは不要であり、軸部材および支持部をガイドとして第１部材と第２部材とを相対的に回動させる操作だけで、バンド装着の都度、所望のバンド長さで、バンドの締結操作を簡単に行うことができる。
一方、プッシュボタンを押すことにより、付勢力が作用する方向に係合されていた係合部と被係合部との係合を解除することができ、第１部材と第２部材とを締結時とは反対側に回動すればバンド同士が離間するので、バンドの締結を解除する操作も簡単に行うことができる。
【００１１】
加えて、本発明では、各バンドのそれぞれに配設された第１部材と第２部材とを回動させるだけで締結操作および締結解除の操作が可能であって、バンドを着脱する都度、バンドの孔につく棒が挿通される従来例のようにバンドに部分的に負荷が掛からないため、バンドの耐久品質を向上させることができる。
【００１２】
本発明の締結具では、前記一方の被締結部材が前記他方の被締結部材の前記装着対象側に配置され、かつ前記軸部材を前記支持部に前記装着対象とは反対側から支持させた状態で、前記第１部材と前記第２部材とが相対的に回動されることが好ましい。
【００１３】
この発明によれば、第２部材の軸部材を第１部材の支持部に装着対象とは反対側から支持させて、第２部材の回動部材を装着対象側に倒すようにして回動させることにより、第１部材と第２部材とが係合される。これにより、片手で簡単にバンドの締結操作を行うことができる。
なお、バンドの装着対象は、例えば腕であり、バンドの厚み方向において、装着対象側から、第１取付部材の連結部、一方のバンド、ボタンユニット、および、軸部材並びに回動部材の順に配置される。
【００１４】
本発明の締結具では、前記係合部および前記被係合部の少なくとも一方には、前記相対的に回動されることにより前記係合部と前記被係合部とが当接した際に前記付勢手段による付勢力に抗して分力が作用する方向に傾斜する斜面が形成されていることが好ましい。
【００１５】
この発明によれば、第１部材と第２部材との相対回動時に係合部が被係合部に当接した際に、前記斜面を介した分力によってプッシュボタンが押され、付勢手段による付勢力が働く方向に係合部と被係合部とを容易に係合させることができるので、バンドの締結時に第１部材と第２部材とを回動させる操作を円滑に行うことができる。
そのうえ、バンドの締結解除時には、プッシュボタンを押して被係合部が係合部に当接した際に、前記斜面を介した分力によって係合部が被係合部に対して持ち上げられるので、ほとんど回動操作することなく、第１部材と第２部材とを離間させることが可能となる。
なお、前記斜面は、傾斜角度が一定の直線的なテーパ形状とされていてもよいし、傾斜角度が一定でない曲面形状（Ｒ形状）とされていてもよい。
【００１６】
本発明の締結具では、前記支持部は、前記側壁に形成された切欠とされ、前記軸部材の両端部はそれぞれ、前記他方の被締結部材の端縁から突出し、かつ前記支持部に係合された状態で支持されることが好ましい。
【００１７】
この発明によれば、軸部材の両端をバンドの幅方向両側に突出させ、この軸部材の両端のみを側壁の切欠で支持する構成とされているため、支持部を簡易に構成できる。また、支持部と軸部材との係合部分が嵩張らないため、薄型化が図られる。
【００１８】
本発明の締結具では、前記第１取付部材は、側壁が連結部の両端部からそれぞれ起立した断面略コ字形状とされ、前記第１取付部材の前記側壁には、前記開口部である第１開口部と連続するように前記連結部側とは反対側から第２開口部が切欠形成され、前記側壁における起立方向と交差する方向において、前記第２開口部の寸法は、前記第１開口部の寸法よりも小さく、前記プッシュボタンが押されていない状態で当該プッシュボタンの前記第１開口部から突出する部分には、前記第２開口部に挿入可能な括れ部が形成されていることが好ましい。
【００１９】
この発明によれば、第１取付部材およびボタンユニットを一方のバンドに取り付ける際、プッシュボタンを押して括れ部を第２開口部に挿入した状態とし、そのままプッシュボタンを第１開口部側に押すことでプッシュボタンを第１開口部から突出させることができる。
また、第１取付部材およびボタンユニットをバンドから取り外す際も、プッシュボタンを押して括れ部と第２開口部との位置を合わせ、第２開口部を介してプッシュボタンを第１取付部材から外すことが可能となる。
すなわち、プッシュボタン全体を側壁の内側に押し込んだ状態としなくても、第１取付部材とボタンユニットとを容易に係合させたり、外したりすることができるので、第１取付部材およびボタンユニットの一方のバンドへの取付を容易化できる。
【００２０】
本発明の締結具では、前記軸部材は、前記他方の被締結部材における前記一方の被締結部材と締結される側の端部に、前記回動の軸に沿って当該他方の被締結部材を貫通するように取り付けられ、前記他方の被締結部材には、前記軸部材の一部が露出するように切欠が形成され、前記回動部材は、前記切欠を介して前記軸部材の周りに巻かれる巻付部を有することが好ましい。
【００２１】
この発明によれば、バンドを幅方向に沿って貫通するように軸部材を設けるとともに、バンドに形成した切欠から回動部材を軸部材に巻き付けることで、軸部材が目立たず、かつ軸部材および回動部材をバンドに容易にかつより確実に取付できる。
【００２２】
本発明の締結具では、前記被係合部は、前記プッシュボタンが押されていない状態で前記プッシュボタンの前記開口部から前記側壁の外側に突出する部分に形成され、前記係合部は、前記回動部材における前記回動の軸に沿った方向の端部に形成されていることが好ましい。
【００２３】
この発明によれば、プッシュ操作のため側壁から突出したプッシュボタンの突出部分に被係合部が形成され、この被係合部に回動部材の端部に形成された係合部を係合させる構成としたので、ボタンユニットにおける回動の軸と反対側の部分に被係合部が形成されていたり、プッシュボタンの側壁から突出しない部分で係合部と被係合部とが係合する構成と比べて、回動の軸に沿った方向における寸法と、回動の軸に交差する方向における寸法との両方を小さくでき、締結具を小型化できる。
【００２４】
本発明の締結具では、前記回動部材は、前記軸部材に沿った方向を含む平面にほぼ沿って板状に形成され、前記係合部は、前記回動部材における前記回動の軸に沿った方向の端部から、前記相対的に回動される際の前記第１部材側に立ち上がる凸部とされ、前記被係合部は、前記プッシュボタンにおいて前記相対的に回動される方向にほぼ沿って形成された凹部とされていることが好ましい。
【００２５】
この発明によれば、係合部を板状部材からの立ち上げ片として構成することで、回動部材を簡易に製作できる。また、回動部材が板状とされているので、回動部材を第１部材側に回動して係合部を被係合部に係合させた状態において、締結具を薄型にできる。
【００２６】
本発明の締結具では、前記ボタンユニットは、前記プッシュボタンを保持するボタンユニット枠を有し、前記プッシュボタンは、前記被係合部が形成される本体と、この本体と前記ボタンユニット枠の内面との間に配置されて前記第１取付部材の前記開口部に係合される副体とを有し、前記本体は、本体付勢手段によって前記側壁の内側から外側に向かって付勢され、かつ、本体ストッパ部材によって前記ボタンユニット枠に係止され、前記副体は、副体付勢手段によって前記側壁の内側から外側に向かって付勢され、かつ、副体ストッパ部材によって前記ボタンユニット枠に係止され、前記本体と前記副体とは、前記本体が押された際に前記副体に当接するように間隙を介して凹凸係合され、前記本体が前記本体ストッパに当接するまで押された際の前記ボタンユニット枠に対する当該本体の移動距離をＡ、前記副体が前記副体ストッパに当接するまで押された際の前記ボタンユニット枠に対する当該副体の移動距離をＢ、前記本体が前記副体に当接されるまで押された際の前記ボタンユニット枠に対する当該本体の移動距離をＣ、とすると、Ａ  ＞  Ｂ  ＞  Ｃ  とされていることが好ましい。
【００２７】
この発明によれば、前記Ａ，Ｂ，Ｃの各距離が上記関係にあることにより、外力により本体が押されても、本体が前記間隙を移動する間は副体は押されず、第１取付部材の開口部から副体が外れない。本体が距離Ｃよりも大きく移動し、副体に当接するまで押されるとはじめて、本体に凹凸係合された副体が押されて本体と共に移動するため、ボタンユニットと第１取付部材とを取り外すことが可能となる。すなわち、外力により不用意に本体が押され、ボタンユニットと第１取付部材と一方のバンドとが分解されてしまうことを防止できる。
【００２８】
本発明の締結具では、前記第１部材の連結部、および前記ボタンユニットの一方は、他方に向かって突出する突起を有し、前記突起は、前記一方の被締結部材に形成された孔に挿入されることが好ましい。
【００２９】
この発明によれば、突起がバンドの孔に挿入されることにより、第１取付部材およびボタンユニットに対するバンドの平面位置が決まるので、第１取付部材およびボタンユニットをバンドの所定位置に確実に取り付けることが可能となる。
なお、突起の径は一定とされていてよい。
【００３０】
本発明の長尺体は、前述の締結具を備えたことを特徴とする。
この発明によれば、前述した締結具を備えるため、前述と同様の作用および効果を享受できる。
【００３１】
本発明の携帯機器は、前述の長尺体を備えたことを特徴とする。
この発明によれば、前述した締結具を有する長尺体を備えるため、前述と同様の作用および効果を享受できる。
ここで、携帯機器としては、情報機器、通信機器、メモリカード、カメラ、計測機器などを例示できる。
【００３２】
本発明の時計は、前述の長尺体を備え、前記長尺体は、時計の外装ケースに連結されていることを特徴とする。
この発明によれば、前述した締結具を有する長尺体を備えるため、前述と同様の作用および効果を享受できる。
ここで、前記長尺体は、時計バンドであることが好ましい。
なお、時計バンドの材質等は問わず、時計バンドは、革製バンド、布製バンド、樹脂製バンド、金属製バンド等であってよい。
【００３３】
本発明の装身具は、前述の長尺体を備え、この長尺体により装着されることを特徴とする。
この発明によれば、前述した締結具を有する長尺体を備えるため、前述と同様の作用および効果を享受できる。
【発明の効果】
【００３４】
以上の本発明によれば、簡単な操作で締結および締結解除の操作を行うことができ、かつバンド等の被締結部材に部分的に負荷が掛からないため被締結部材の耐久性を大きく向上させることができる。
【発明を実施するための最良の形態】
【００３５】
以下、図面を参照して本発明の一実施形態について説明する。
〔１．全体構成〕
図１は、本実施形態に係る腕時計１の側面図である。この時計１は、図示しない時計体と、時計体を収納する外装ケース２と、このケース２の６時側と１２時側とにそれぞれ連結される革製の時計バンド１１，１２とを備えている。バンド１１，１２のケース２に連結される基端部１１Ａ，１２Ａ側と反対側の開放端部１１Ｂ，１２Ｂは、締結具としての中留３によって締結されている。
【００３６】
〔２．中留の構成〕
図２は、中留３の斜視図である。中留３は、締結時のバンド長さ調整用の複数の係合孔１１１が形成された６時側バンド１１に取り付けられる第１部材３Ａと、１２時側バンド１２に取り付けられる第２部材３Ｂとを備え、これらの第１、第２部材３Ａ，３Ｂが互いに係合されることにより、バンド１１，１２が締結されている。
【００３７】
本実施形態では、６時側バンド１１および１２時側バンド１２のいずれも、帯状の長尺体であるが、本実施形態の中留３で締結可能な時計バンドは、このような帯状体に限らず、適宜な長尺体であってよい。
ここで、長尺体とは、幅寸法よりも長さ寸法が上回っており長さ方向を有する部材をいい、長尺体には、帯状体や板状体などが含まれる。
なお、中留３で締結可能な時計バンドは、長尺体に限らず、例えば、時計の外装ケースに連結されるブロック状の連結部と、この連結部から外装ケースとは反対側に延出する延出部とを備え、延出部に中留の部材が配設されるものなどであってもよい。
また、６時側バンドと１２時側バンドとは必ずしも同様の形状に構成されていなくてもよい。すなわち、その一方が長尺体とされ、他方が長尺体でない任意の形状とされていてもよい。
【００３８】
〔３．第１部材の構成〕
図３は、第１部材３Ａを示す。第１部材３Ａは、６時側バンド１１の幅方向に沿って設けられる第１取付部材２０と、この第１取付部材２０との間に６時側バンド１１を挟み、かつプッシュボタン３２を有するボタンユニット３０とを備えている。
【００３９】
〔３−１．第１取付部材の構成〕
図４は、第１取付部材２０を示す。第１取付部材２０は、バンド１１（図２）の幅方向両側でバンド１１の厚み方向にほぼ沿ってそれぞれ起立する側壁２１，２１と、これらの側壁２１，２１をバンド１１の裏側で連結する連結部２２とを有して断面略コ字状に形成されている。
【００４０】
側壁２１，２１にはそれぞれ、略矩形状の第１開口部２１１が貫通形成されている。
また、側壁２１の連結部２２側とは反対側から切欠が形成されることにより、第１開口部２１１に連続する第２開口部２１２が形成されている。この第２開口部２１２のバンド１１の長さ方向における寸法は、同じくバンド１１の長さ方向における第１開口部２１１の寸法よりも小さくなっている。
さらに、側壁２１の上端部に略Ｕ字状の切欠部２１３が形成されることによって、側壁２１におけるバンド１１の開放端部１１Ｂ（図２）側の端部が立ち上がっており、この切欠部２１３は、後述するように第２部材３Ｂを構成するピンが回動可能に係合される支持部とされている。
【００４１】
連結部２２の上面には、バンド１１の係合孔１１１（図２）に挿入される突起２３が設けられている。この突起２３は、係合孔１１１の径と略同径の円柱形状とされ、連結部２２の上面にかしめ固定されている。なお、かしめ固定に限らず、突起２３は、例えばレーザ溶接などによって連結部２２の上面に固定されていてもよい。この突起２３の高さは、バンド１１の厚みと同じである必要はない。
【００４２】
〔３−２．ボタンユニットの構成〕
図５は、ボタンユニット３０の斜視図である。また、図６は、ボタンユニット３０の内部を示し、図７は、ボタンユニット３０の一部断面側面図である。なお、図６では、ボタンユニット３０のボタンユニット枠３１を破断している。
図５、図６に示すように、ボタンユニット３０は、第１取付部材２０（図４）の側壁２１，２１間に配置される略筒状のボタンユニット枠３１と、ボタンユニット枠３１の両端の開口からそれぞれ突出するプッシュボタン３２，３２と、圧縮コイルばね３３，３３とを有して構成されている。
【００４３】
ボタンユニット枠３１は、図５に示すように、金属薄板を用いた曲げ加工により断面略長方形状に形成されている。また、図６、図７に示すように、ボタンユニット枠３１の底面の一部が切り起こされることにより、各プッシュボタン３２をそれぞれ係止するストッパ３１２が形成されている。
【００４４】
各プッシュボタン３２は、図６に示すように、平面略矩形状の部材とされ、コイルばね３３，３３によってボタンユニット枠３１の両端の開口の内側から外側に向かって付勢されており、第１取付部材２０（図４）の側壁２１に形成された第１開口部２１１の内側から外側に突出する。このプッシュボタン３２は、第１開口部２１１の高さよりも若干小さい厚さで、かつ第１開口部２１１の幅よりも若干小さい幅で形成されている。
なお、各プッシュボタン３２にそれぞれ形成された貫通孔３２１に前記ストッパ３１２が挿入されており、これによってプッシュボタン３２，３２はボタンユニット枠３１に係止されている。
【００４５】
コイルばね３３，３３はそれぞれ、ボタンユニット枠３１の両側面部側で、プッシュボタン３２，３２のそれぞれに形成された切欠３２２，３２２の間に配置されている。
なお、プッシュボタン３２をコイルばね３３のばね力に抗して押していない状態では、コイルばね３３のばね力により、図７のようにストッパ３１２が貫通孔３２１の内壁に当接していることが好ましい。これにより、プッシュボタン３２の遊びをなくすことができる。
【００４６】
ここで、各プッシュボタン３２の側壁２１（図４）からそれぞれ突出する先端部には、当該プッシュボタン３２を厚み方向に貫通する被係合部としての係合凹部３２３が形成されている。
各係合凹部３２３のプッシュボタン３２先端側の内側面には、図７に示すように、その内側面上端からプッシュボタン３２の基端側に下るテーパ面３２３Ａが形成されている。さらに、各係合凹部３２３におけるプッシュボタン３２基端側の部分には、係合凹部３２３の内側に突出する突片３２３Ｂが形成されている。
【００４７】
また、各プッシュボタン３２の先端部における側面には、バンド１１の長さ方向両端側に一対の切欠３２４，３２４が形成されることにより、括れ部３２５が形成されている。
各切欠３２４の幅（バンド１１の幅方向における寸法）は、第１取付部材２０（図４）の側壁２１の厚さより若干大きく、各切欠３２４の深さ（バンド１１の長さ方向における寸法）は、バンド１１の長さ方向における第１開口部２１１の寸法と第２開口部２１２の寸法との差の１／２よりも若干大きくなっている。
【００４８】
〔３−３．第１部材のバンドへの取付〕
図８は、第１取付部材２０およびボタンユニット３０の６時側バンド１１への取付態様を示す。このバンド１１の表面側にはボタンユニット３０が配置され、腕に接触する側であるバンド１１の裏面側には第１取付部材２０が配置され、これら第１取付部材２０とボタンユニット３０との間にバンド１１が介装される。なお、第１取付部材２０とボタンユニット３０とは、締結時のバンドの長さに応じて選択された所定の係合孔１１１の位置でバンド１１に取り付けられる。
【００４９】
この第１取付部材２０およびボタンユニット３０をバンド１１に取り付ける際は、図８に示すように所定の係合孔１１１に突起２３を挿入し、両方のプッシュボタン３２，３２をバンド１１の幅方向内側に押した状態で第１取付部材２０の側壁２１，２１間にボタンユニット枠３１を配置し、側壁２１の第１開口部２１１からプッシュボタン３２を突出させる。
【００５０】
ここで、側壁２１，２１間にボタンユニット枠３１を配置する際、プッシュボタン３２の全体を側壁２１の内側まで押し込む必要はなく、切欠３２４，３２４と第２開口部２１２との位置が合うまで各プッシュボタン３２を押して括れ部３２５が第２開口部２１２に挿入された状態とすることにより、側壁２１，２１間にボタンユニット枠３１が配置されるから、そのまま各プッシュボタン３２を第１開口部２１１側に押せばよい。そして、各プッシュボタン３２に対する押込み力を解除することにより、各プッシュボタン３２がそれぞれ第１開口部２１１から突出する。
【００５１】
このようにバンド１１に第１取付部材２０とボタンユニット３０とを取り付けた状態において、バンド１１は第１取付部材２０とボタンユニット３０との間に挟まれており、第１取付部材２０とボタンユニット３０との間で突起２３が係合孔１１１に挿入されている。このため、突起２３は係合孔１１１から抜け出ず、第１取付部材２０およびボタンユニット３０に対するバンド１１の平面位置が決まる。すなわち、第１取付部材２０およびボタンユニット３０がバンド１１の所定位置に固定されることになる。
【００５２】
なお、第１取付部材２０およびボタンユニット３０のバンド１１への取付位置を調整する際には、プッシュボタン３２，３２を押して切欠３２４，３２４と第２開口部２１２との位置を合わせ、第２開口部２１２を介してプッシュボタン３２を第１開口部２１１から外す。そして、突起２３をバンド１１に形成された他の係合孔１１１に挿入してから、プッシュボタン３２，３２を押して前述と同じ手順で第１開口部２１１から突出させればよい。
【００５３】
〔４．第２部材の構成〕
次に、１２時側バンド１２（図２）に取り付けられる第２部材３Ｂの構成を説明する。
図９は、第２部材３Ｂの分解斜視図である。第２部材３Ｂは、１２時側バンド１２の開放端部１２Ｂに取り付けられる軸部材としてのピン４０と、ピン４０に回動可能に設けられる回動部材５０とを有して構成されている。
ピン４０は、バンド１２の端部の革が巻かれて形成された孔１２１に挿通され、その両端がバンド１２の幅方向両端側の側面から突出した状態とされている。また、ピン４０の中央部は、バンド１２の端部に形成された切欠１２２から露出している。
なお、ピン４０の両端がバンド１２の側面から突出する寸法は、第１取付部材２０（図４）の側壁２１の厚みの寸法以下であることが好ましい。
【００５４】
回動部材５０は、バンド１２とほぼ同じ幅の略矩形状の板状部材とされ、ピン４０に取り付けられる巻付部５１と、その両方の短辺部からバンド１２の裏側に立ち上がる係合部としての係合凸部５２，５２とを有している。
図１０は、回動部材５０の一部断面側面図である。各係合凸部５２の先端部には、バンド１２の厚さ方向に曲げられた斜面としてのテーパ面５２１，５２２がそれぞれ形成されている。
【００５５】
図１１は、回動部材５０およびピン４０をバンド１２に取り付けた状態を示す。この取付の際は、バンド１２の孔１２１（図９）にピン４０を通し、ピン４０の両端部がバンド１２の両側面から突出するようにしてピン４０を孔１２１に接着し、ピン４０と切欠１２２内側面との間に回動部材５０の巻付部５１を挿入してピン４０の周りにカーリングする。
【００５６】
〔５．中留によるバンドの締結操作〕
次に、図１２〜図１５を参照し、中留３でバンド１１，１２を締結して時計１を腕（装着対象）に装着する操作について説明する。
図１２に示すように、１２時側バンド１２よりも腕側に６時側バンド１１を配置し、６時側バンド１１の上に１２時側バンド１２を被せるようにして、第１部材３Ａと第２部材３Ｂとを係合させる。
ここで、回動部材５０をバンド１２の平面方向に対して若干回動させて起こし、１２時側バンド１２の幅方向両側の側面から突出したピン４０の両端部を第１取付部材２０の切欠部２１３に係合させることにより、回動部材５０が第１取付部材２０に回動可能に支持された状態とする。
図１３は、この状態における時計１の側面を示す。バンド１１，１２同士に働く引張力が、回動部材５０をの切欠部２１３側に押圧する方向に作用するため、回動部材５０は切欠部２１３に安定的に支持される。
【００５７】
次いで、ピン４０および切欠部２１３を回動中心として、回動部材５０を第１部材３Ａ側に（図１２の円弧状の矢印方向に）回動させる。図１２に、この際の回動軸Ａを示す。このように第１部材３Ａと第２部材３Ｂとを相対的に回動させる際、第１部材３Ａにおける回動方向前方側に、係合凸部５２が突出する。
図１４、図１５は、回動部材５０およびボタンユニット３０の一部断面側面図であり、回動軸Ａ（図１２）を回転中心に回動部材５０をボタンユニット３０および第１取付部材２０側に回動させると、係合凸部５２のテーパ面５２２がプッシュボタン３２の突片３２３Ｂに対して略垂直に当たる。この際に水平方向に作用する分力によってプッシュボタン３２が一旦押された状態となり、さらに、図１５のように、回動部材５０がボタンユニット３０の上面に重なるまで回動部材５０を回動させると、係合凸部５２は突片３２３Ｂの裏側に係止される。このように、係合凸部５２がコイルばね３３（図６）の付勢力を受けた状態で係合凹部３２３に係合されることによって、バンド１１，１２は締結される。
【００５８】
バンド１１，１２の締結を解除する際は、両方のプッシュボタン３２，３２をバンド１１の幅方向内側に向かって押すことにより、係合凸部５２と係合凹部３２３との係合が解除されるとともに、プッシュボタン３２のテーパ面３２３Ａが係合凸部５２のテーパ面５２１に当たり、この際、プッシュボタン３２の平面方向に対して垂直方向に作用する分力によって回動部材５０はプッシュボタン３２から離間する。すなわち、回動部材５０と第１部材３Ａとは締結時とは逆方向に相対的に回動されるので、ピン４０を切欠部２１３から外すことにより、バンド１１，１２の締結が解除される。
【００５９】
〔６．本実施形態の効果〕
以上説明した本実施形態によれば、次のような効果を奏する。
（１）時計バンド１１，１２の中留３は、バンド１１，１２の所定位置にそれぞれ取り付けられる第１部材３Ａと第２部材３Ｂとを備え、これらの第１部材３Ａと第２部材３Ｂとをピン４０が切欠部２１３に支持された状態で相対的に回動させるだけで、係合凸部５２が係合凹部３２３に係合してバンド１１，１２の装着が終了するので、バンド装着の都度、所望のバンド長さで、バンド１１，１２の締結操作を簡単に行うことができる。
また、プッシュボタン３２，３２を押して第１部材３Ａと第２部材３Ｂとを離間する方向に回動させることにより、バンド１１，１２の締結を解除する操作も簡単に行うことができる。
そのうえ、第１部材３Ａと第２部材３Ｂとを回動させるだけで、締結および締結解除の操作が可能であり、バンド１１，１２に部分的に負荷が掛からないため、バンド１１，１２の耐久品質を向上させることができる。
【００６０】
（２）１２時側バンド１２よりも腕側に６時側バンド１１が配置され、腕とは反対側からピン４０を切欠部２１３に支持させた状態で、回動部材５０を腕側に倒すように回動させることにより、係合凸部５２が係合凹部３２３に係合される。これにより、片手で簡単にバンドの締結操作を行うことができる。
【００６１】
（３）回動部材５０が板状に形成され、回動部材５０がボタンユニット枠３１の上面とほぼ全体的に重なった状態で第１取付部材２０に係合されるので、中留３を薄型化できる。
【００６２】
（４）回動部材５０のテーパ面５２２を介した分力により、係合凸部５２が係合凹部３２３に円滑に挿入されるので、バンド１１，１２の締結時に第１部材３Ａと第２部材３Ｂとの回動操作をより容易に行うことができる。
そのうえ、バンド１１，１２の締結解除時には、プッシュボタン３２を押して係合凹部３２３が係合凸部５２に当接した際に、プッシュボタン３２のテーパ面３２３Ａおよび回動部材５０のテーパ面５２１を介した分力によって回動部材５０がプッシュボタン３２に対して持ち上げられるので、ほとんど回動操作することなく、第１部材３Ａと第２部材３Ｂとを離間させることが可能となる。
【００６３】
（５）ピン４０の両端部をバンド１２の幅方向両側の側面に突出させ、このピン４０の両端部のみを切欠部２１３で支持する構成とされているため、第２部材３Ｂを第１部材３Ａに回動可能に支持させる構成を簡易に構成でき、かつ中留３を薄型にできる。
【００６４】
（６）第１取付部材２０の側壁２１に第１開口部２１１および第２開口部２１２が形成され、各プッシュボタン３２の第１開口部２１１から突出する部分にそれぞれ括れ部３２５が形成されているので、プッシュボタン３２，３２を最大限押し込んでプッシュボタン３２，３２の全体を側壁２１の内側に押し込んだ状態としなくても、第１取付部材２０とボタンユニット３０とを容易に係合させたり、外したりすることができる。このため、例えば店頭での購入時のバンドのサイズ合わせや購入後のユーザ自身によるバンドのサイズ合わせを容易に行うことができる。
【００６５】
（７）バンド１２を幅方向に沿って貫通するようにピン４０を設けるとともに、バンド１２の切欠１２２から回動部材５０をピン４０に巻き付けることで、ピン４０および回動部材５０をバンド１２に容易にかつより確実に取付できる。
【００６６】
（８）側壁２１から突出したプッシュボタン３２の突出部分に係合凹部３２３が形成され、この係合凹部３２３に回動部材５０の端部に形成された係合凸部５２を係合させる構成としたので、ボタンユニット３０における回動軸Ａと反対側の部分に被係合部が形成されていたり、プッシュボタン３２の側壁２１から突出しない部分で係合凸部と係合凹部とが係合する構成と比べて、回動軸Ａに沿った方向における寸法と、回動軸Ａに交差する方向における寸法との両方を小さくでき、中留３を小型化できる。
【００６７】
（９）第１取付部材２０とボタンユニット３０との間に６時側バンド１１が介装され、第１取付部材２０とボタンユニット３０との間で突起２３がバンド１１の係合孔１１１に挿入されることにより、第１取付部材およびボタンユニットをバンドの所定位置に確実に取り付けることが可能となる。
【００６８】
［本発明の変形例］
本発明は、以上説明した実施形態に限定されず、各種の改良および変形が可能である。
図１６は、本発明の変形例に係るボタンユニット６０の内部を示す。前記実施形態のボタンユニット３０（図６）とは異なり、本変形例のボタンユニット６０では、プッシュボタンが三体で構成され、これら三体の移動距離が所定の関係に設定されている。
【００６９】
本実施形態の各プッシュボタンはそれぞれ、係合凹部３２３が形成される本体６２と、この本体６２とボタンユニット枠６１の内面との間に配置されて第１取付部材２０（図４）の第１開口部２１１に係合される副体６３，６３とから構成されている。ボタンユニット６０は、本体６２を付勢するコイルばね３４と、副体６３，６３をそれぞれ付勢するコイルばね３５，３５とを備え、本体６２は本体ストッパ３１２に係止され、副体６３，６３は副体ストッパ６１２，６１２にそれぞれ係止されている。
【００７０】
本体６２は、プッシュボタンの基端部から先端部までの全体に亘って設けられ、幅方向両側の側面に、各副体６３に向かってそれぞれ突出する凸部６２１，６２１を有している。また、本体６２の基端部には、コイルばね３４が係止される切欠６２２が形成されている。
各副体６３におけるプッシュボタン先端側の端部は、ボタンユニット枠６１から突出し、第１取付部材２０（図４）の開口部２１１に係合する。この副体６３の端部を含んで、括れ部３２５を構成する切欠３２４が形成されている。
また、副体６３には、本体６２の凸部６２１が挿入される凹部６３１と、副体ストッパ６１２が挿入される係止用凹部６３２とが形成され、副体６３におけるプッシュボタン基端側の端部には、コイルばね３５が係止されている。
本体６２の凸部６２１と副体６３の凹部６３１との間には、コイルばね３４，３５による付勢方向に沿って間隙Ｓが形成されている。
【００７１】
ここで、本体６２が本体ストッパ３１２に当接するまで押された際のボタンユニット枠６１に対する当該本体６２の移動距離をＡ、副体６３が副体ストッパ６１２に当接するまで押された際のボタンユニット枠６１に対する当該副体６３の移動距離をＢ、本体６２の凸部６２１が副体６３の凹部６３１の側面に当接されるまで押された際のボタンユニット枠６１に対する当該本体６２の移動距離をＣ、とする。これら移動距離Ａ，Ｂ，Ｃはいずれも、ボタンユニット６０の長さ方向（バンド幅方向）における距離であり、次式を満足するように設定されている。
〔関係式〕
Ａ  ＞  Ｂ  ＞  Ｃ
【００７２】
これらの移動距離Ａ、Ｂ，Ｃの関係により、外力により本体６２が押されても、本体６２が間隙を移動する間は副体６３は押されず、副体６３の端部が第１取付部材の開口部２１１に係合したまま外れない。本体６２が距離Ｃよりも大きく移動し副体６３に当接するまで押されてはじめて、本体６２と副体６３とが共に移動し、本体６２と副体６３との間の切欠３２４，３２４と側壁２１の第２開口部２１２との位置が合うことで、第２開口部２１２を介してプッシュボタン６２を第１取付部材２０から取り外すことが可能となる。すなわち、外力により不用意に本体６２が押され、ボタンユニット６０と第１取付部材２０とバンド１１とが分解されてしまうことを防止できる。
【００７３】
そのうえ、プッシュボタン６２を本体６２と副体６３，６３との三体で構成することにより、括れ部３２５の切欠３２４の形成が容易となり、また、コイルばね３４を係止するための切欠（図６の切欠３２２）の形成を不要にできる。
【００７４】
なお、前述した実施形態や変形例において、第１取付部材の側壁には第１開口部２１１と第２開口部２１２とが形成され、プッシュボタンには、第２開口部２１２に挿入可能な括れ部３２５が形成されていたが、これらの第２開口部２１２および括れ部３２５は無くてもよい。すなわち、プッシュボタンの先端部が側壁２１の内側に位置するまでプッシュボタンを押し込んだ状態としてから、第１開口部２１１からプッシュボタンを突出させればよい。この場合、ストッパ３１２が挿入される前記貫通孔３２１の寸法は、各プッシュボタンをバンドの幅方向内側に押し込んだ際に、側壁２１，２１の内面間の寸法よりもプッシュボタンの先端間の寸法が小さくなり第１開口部２１１から各プッシュボタンが外れるプッシュボタンの最大押し込み量を実現する寸法で形成される。
【００７５】
前記実施形態では、軸部材としてのピン４０の両端を側壁２１の切欠部２１３に係合させることで、回動部材５０を第１取付部材２０に回動可能に支持させる構成であったが、これに限らず、第１部材の軸部材と第２部材の支持部とが係合して、軸部材が回動可能に支持される構成であれば任意の構成を採用できる。要するに、軸部材および支持部によって第１部材と第２部材とを相対的に回動させる際の回動軸が決まるように構成されていればよい。
なお、前記実施形態では、支持部は第１取付部材に形成されていたが、支持部がボタンユニットに形成されていてもよい。また、回動軸上にボタンユニットと第１取付部材との両方が配置される場合は、ボタンユニットと第１取付部材との両方に支持部を形成することも考えられる。
【００７６】
また、前記実施形態の回動部材５０は、バンド１２の端部に接着して固定したピン４０の周りに巻付部５１が巻き付けられることによってピン４０に回動可能に設けられていたが、回動部材が軸部材に回動可能に設けられ、かつこれら回動部材と軸部材とが他方の被締結部材に係止される構成はこれに限らない。例えば、軸部材が、その両端部がバンドの孔１２１の径に応じた大径部であり、その中央部が小径部であって、両端側に分割可能なピンとして構成されており、このピンをバンドに取り付ける前に回動部材の巻付部を巻いた状態でバンドの切欠１２２に配置してから、バンドの孔１２１にピンを圧入してもよい。これにより、巻付部５１がピンの小径部に回動可能に取り付けられる。ここで、巻付部５１をプレス成形する際などに、巻かれた状態で内側となる内周面に、面外方向に突出する球状突起などを形成しておくことにより、ピンの軸方向に沿った移動が規制されるので、ピンと回動部材とがバンドに係止される。
【００７７】
なお、前記実施形態では、バンドの締結時に機能するテーパ面５２２が係合凸部５２に形成されていたが、このような傾きの斜面が形成されるのは、係合凹部３２３側であってもよく、また、係合凸部と係合凹部との両方に斜面が形成されていてもよい。
そして、前記実施形態では、係合部が凸部（係合凸部５２）とされ、被係合部が凹部（係合凹部３２３）とされていたが、これに限らず、係合部が凹部とされ、被係合部が凸部とされるなどの構成であってもよい。
【００７８】
また、前記実施形態において、バンド１１の係合孔１１１に挿入される突起２３は第１取付部材２０に設けられていたが、これに限らず、ボタンユニットにこのような突起が形成されていてもよい。
本発明において、バンド等の被締結部材に孔が形成されていることと、この孔に挿入される突起を第１取付部材またはボタンユニットが有していることは必須構成ではないが、このように突起が孔に挿入される構成とすることにより、第１取付部材およびボタンユニットを一方の被締結部材に容易にかつ確実に固定することができる。
【００７９】
前記実施形態では、ボタンユニット枠３１の底面から立ち上がるストッパ３１２，６１２によってプッシュボタン３２や本体６２、副体６２１をボタンユニット枠３１に係止していたが、このようなストッパ３１１Ｃの代わりに、例えば、ボタンユニット枠３１からプッシュボタン３２の貫通孔３２１に突出するように設けられたねじなどによって、プッシュボタン３２をボタンユニット枠３１に係止してもよい。あるいは、ストッパ６１２は、ボタンユニット枠６１の底面ではなく側面の一部をボタンユニット枠６１の内側に突出させるなどして、形成してもよい。
【００８０】
なお、本発明の締結具は、被締結部材同士を締結する各種用途に利用できる。前記実施形態のバンド１１，１２は外装ケース２にそれぞれ設けられた別部材であったが、これに限らず、バンド１１，１２は繋がった一つの部材であってもよい。
【００８１】
また、前記実施形態では、時計バンドに適用された締結具としての中留を示したが、本発明の締結具は各種の装身具にも適用できる。
ここで、装身具としては、腰や腕などに巻くベルトやバンド、首に巻くチョーカー、衣服の留め具などが挙げられる。このほか、本発明の締結具は、鞄、袋物、履物などの各種物品にも適用できる。
【００８２】
さらに、本発明の締結具は２つの被締結部材同士を締結するが、複数の締結具を使用することによって３つ以上の被締結部材を締結することが可能となる。例えば、円弧状などの３つ以上の部品でブレスレットタイプの時計バンドが構成される場合などは、隣合う部品と部品とを本発明の締結具で締結することが可能となる。
【００８３】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００８４】
【図１】本発明の一実施形態に係る時計および時計バンドを示す側面図。
【図２】前記実施形態における時計バンドの中留を示す斜視図。
【図３】前記実施形態の中留が備える第１部材の斜視図。
【図４】前記第１部材が有する第１取付部材の斜視図。
【図５】前記第１部材が有するボタンユニットの斜視図。
【図６】前記ボタンユニットの内部を示す図。
【図７】前記ボタンユニットの一部断面側面図。
【図８】第１取付部材およびボタンユニットの６時側バンドへの取付態様を示す図。
【図９】前記実施形態の中留が備える第２部材の分解斜視図。
【図１０】前記第２部材が有する回動部材の一部断面側面図。
【図１１】前記第２部材を１２時側バンドに取り付けた状態を示す図。
【図１２】前記実施形態の中留におけるバンドの締結操作を示す図。
【図１３】前記実施形態の中留におけるバンドの締結操作を示す時計の全体図。
【図１４】前記実施形態の中留におけるバンドの締結操作を示す一部断面側面図。
【図１５】前記実施形態の中留によってバンドが締結された状態を示す一部断面側面図。
【図１６】本発明の変形例に係るボタンユニットの内部を示す図。
【符号の説明】
【００８５】
１・・・時計、２・・・外装ケース、３・・・中留（締結具）、３Ａ・・・第１部材、３Ｂ・・・第２部材、１１・・・６時側バンド（一方の被締結部材）、１２・・・１２時側バンド（他方の被締結部材）、２０・・・第１取付部材、２１・・・側壁、２２・・・連結部、２３・・・突起、３０・・・ボタンユニット、３１・・・ボタンユニット枠、３２・・・プッシュボタン、３３・・・コイルばね（付勢手段）、３４・・・コイルばね（本体付勢手段）、３５・・・コイルばね（副体付勢手段）、４０・・・ピン（軸部材）、５０・・・回動部材、５１・・・巻付部、５２・・・係合凸部（係合部）、６０・・・ボタンユニット、６１・・・ボタンユニット枠、６２・・・本体、６３・・・副体、１１１・・・係合孔、１２２・・・切欠、２１１・・・第１開口部、２１２・・・第２開口部、２１３・・・切欠部（支持部）、３１２・・・ストッパ（本体ストッパ部材）、３２３・・・係合凹部（被係合部）、３２３Ａ・・・テーパ面（斜面）、３２５・・・括れ部、５２１・・・テーパ面（斜面）、５２２・・・テーパ面（斜面）、６１２・・・副体ストッパ（副体ストッパ部材）、Ａ・・・回動軸、Ｓ・・・間隙。
【図１】
2008284129.tif 000003
【図２】
2008284129.tif 000004
【図３】
2008284129.tif 000005
【図４】
2008284129.tif 000006
【図５】
2008284129.tif 000007
【図６】
2008284129.tif 000008
【図７】
2008284129.tif 000009
【図８】
2008284129.tif 000010
【図９】
2008284129.tif 000011
【図１０】
2008284129.tif 000012
【図１１】
2008284129.tif 000013
【図１２】
2008284129.tif 000014
【図１３】
2008284129.tif 000015
【図１４】
2008284129.tif 000016
【図１５】
2008284129.tif 000017
【図１６】
2008284129.tif 000018